(57)【要約】      （修正有）【課題】構造的に強度を強め、着用しているときに快適感があり、表面がけば立たないようにした作業用手袋を提供する。【解決手段】弾性材（弾性材としては、ＮＢＲ，ＰＵなどのプラスチック重合体、発泡剤混合物、弾性糸等々がある）を木綿糸に塗布して接着させた合成弾性糸を縦糸及び横糸相互に一体に編みこんで、手袋の形に成形した作業用手袋１０であって、その織り面１１が生地構造的に強化されるので、糸が切れたりほつれたり、けば立ったりというような不具合がなくなり、本考案の合成弾性糸製の作業用手袋は、いっそう良好な柔軟性や滑り止め効果を達成することができると共に、はめ心地のよさと同時に保護効果をももたらすことができる。【選択図】図１
0003139589.tif 000002
【実用新案登録請求の範囲】
【請求項１】
手首に一致サイズの部分が端部に形成されたカフ部を有する手袋の形に一体式に編み込まれ、強度を強化された作業用手袋であって、
前記作業用手袋は、木綿糸に弾性材が接着塗布して形成された合成弾性糸を縦糸及び横糸に使用して一体に編み込んで手袋の形に作り上げ、該作業用手袋の織り面全体を弾性材の弾性コロイド層によって完全に塗布した状態に形成し、合成弾性糸の強度および引張り強さを強化すると共に、糸の切断、ほつれをなくし、表面のけば立ちを起こさないようにし、更に、織り面の縦糸及び横糸の相互に編み込まれたところに通気性のある気孔を高密度に設けてなり、良好な柔軟性及び肌触りをもたらし、着用感の心地よさを向上し、滑り止め効果を増強し、更なる耐久性をもたらすようにしたことを特徴とする作業用手袋。
【請求項２】
前記合成弾性糸の弾性材は、ゴムあるいはニトリルゴム（ＮＢＲ），ポリウレタン（ＰＵ）のようなプラスチック重合体から成ることを特徴とする請求項１記載の作業用手袋。
【請求項３】
前記弾性材は、木綿糸の周囲縁部全体に円形に接着塗付されるように適用されることを特徴とする請求項１記載の作業用手袋。
【請求項４】
前記弾性材は、木綿糸の周囲縁部半円形状に接着塗付されるように適用されることを特徴とする請求項１記載の作業用手袋。
【請求項５】
前記弾性材は、木綿糸の周囲に水玉状に接着塗付されるように適用されることを特徴とする請求項１記載の作業用手袋。
【請求項６】
前記弾性材は、木綿糸の周囲縁部全体に円形に接着塗付されるように適用され、手袋布地の織り面を熱接着工程を介して更に加工し、完全に気密性の作業用手袋を形成することを特徴とする請求項１記載の作業用手袋。
【請求項７】
前記弾性材は、木綿糸の周囲縁部半円形状に接着塗付されるように適用され、手袋布地の織り面を熱接着工程を介して更に加工し、半気密性の作業用手袋を形成することを特徴とする請求項１記載の作業用手袋。
【請求項８】
前記弾性材は、木綿糸の周囲に水玉状に接着塗付されるように適用され、手袋布地の織り面を熱接着工程を介して更に加工し、コロイド−水玉状の作業用手袋を形成することを特徴とする請求項１記載の作業用手袋。
【請求項９】
前記弾性材は木綿糸と共時的に編み込まれた弾性糸からなり、木綿糸の強度及び耐久性を強化するようにしたことを特徴とする請求項１記載の作業用手袋。
【請求項１０】
前記弾性材は、木綿糸と共時的に編み込まれた弾性糸で構成され、手袋生地の織り面が熱接着工程を介して更に加工され、完全機密性の作業用手袋をもたらすことを特徴とする請求項１記載の作業用手袋。
【請求項１１】
前記弾性材は、混合発泡物質からなり、発泡加工を介して気泡密度を高め、作業用手袋の強度と通気性を高めるようにしたことを特徴とする請求項１記載の作業用手袋。
【請求項１２】
前記合成弾性糸は、外側層へと形成され、木綿糸は、内側層へと形成されることを特徴とする請求項９記載の作業用手袋。
【請求項１３】
手袋部分が一体に編み込まれて、手首に一致するサイズの部分が端部に設けられ且つカフ部を有するように形成された強度を強化された作業用手袋であって、
前記作業用手袋は、共に木綿糸で編まれた内側層及び外側層からなる手の形に作られた一枚の織物と、内側木綿糸層及び外側弾性材層（弾性糸のような）からなる手の形に作られたもう一枚別の織物とで構成され、これら手の形をした２枚の織物を互いに接着し、作業用手袋を形成することで、木綿糸で形成された内側層は、手袋着用者に対して快適な肌触りを提供できるとともに、外側の弾性材層は糸の強度を強化することができるようになることを特徴とする作業用手袋。
【考案の詳細な説明】
【技術分野】
【０００１】
本考案は、作業用手袋に関し、更に具体的に言うと、構造的に強度を強めた一方で、着用時の快適感を有し且つ表面がけば立たせないようにした作業用手袋に関するものである。
【背景技術】
【０００２】
従来、作業用手袋の構造は、木綿糸を粗くざっくりとしたやわらかく編んだ生地で手袋の形に仕上げている。しかし、このような従来の作業用手袋には幾つかの欠点がある。
第１に、木綿糸は粘着性がなく切れやすくもろいため、手袋地を織る工程で糸が切れたりする。その結果、作業用手袋の織地にけば立ちが発生して、織工程が終了した後で、このようなけば立ちを取り除くという作業を更に行わなくてはならない。
第２に、縦糸と横糸に木綿糸を使って相互に編み上げた生地で作った作業用手袋は、弾性のまったくない粗くゆったりとしているのが特徴で、木綿生地表面は裂けやすく、生地のほつれや破れが生じることになる。したがって、従来の作業用手袋は耐久性及び強度性に乏しい。
第３に、織生地の織り目が粗いので隙間ができ、ほこりなどがそこを通って手袋の中に入ってしまいやすいため、手袋を着用している手が汚れたり傷ついたりして、作業用手袋の保護効果を著しく低減することとなる。
別の従来の作業用手袋では、浸潤型接着剤層を伴った織物手袋が挙げられる。この織物手袋は、まず、手袋を形成する外側織物層があり、この外側織物層の掌側、即ち、手の裏側領域を覆っている面に外側接着剤層が塗付される構成になっている。そして、手袋の内側織物層へ密着するように、この外側接着層から手袋の生地の隙間を浸透するように浸潤型接着剤が塗られ、これにより薄膜状の内側接着剤層を形成している。
しかしながら、このような従来の作業用手袋にも幾つかの欠点がある。
第１に、手を覆うための裏打ち空間部の形に生地を織る必要があり、まず手袋の内側生地層及び外側生地層を作成してから、外側生地層に外側接着剤層を塗るようにしなければならず、この作業は面倒で、作業用手袋の製造に手間がかかり、時間の無駄である。その上、この作業用織物手袋は、強度的にも耐久性的にも強化されてはいるが、内側生地層及び生地の繊維の毛穴が外側接着剤層によって接着されるので、全く通気性のない手袋構造となり、これは着用感に重大な影響をもたらす。
第２に、外側接着剤層は織物手袋の内側生地層及び外側生地層の色々な場所に浸み込んで行き、内、外の生地層の中で厚さもまちまちに広がって接着剤を施された領域がデコボコになってしまう。生地の繊維毛穴に浸み込んだ接着剤材料は生地の弾性作用に影響が出る。この結果、織物製手袋は、固いところと柔らかいところが混ざり合ってゴロゴロとした感じが出て、着用感にも手の保護効果にも影響が出る。
【考案の開示】
【考案が解決しようとする課題】
【０００３】
本考案は、弾性材を接着した木綿糸から成る合成弾性糸材料を一体に編み込み、織り面が強度および引張り強さが強化された作業用手袋の形に作り上げ、耐久性や、滑りにくさ、通気性、ほこり進入防止等々の効果を達成すると共に、上述した従来の作業用手袋に見られるような表面のけば立たちや着用時の不快感などの不具合を回避することのできる、強度を強めた作業用手袋を提供することを主たる目的とする。
また、本考案は、弾性材を接着した木綿糸から成る合成弾性糸材料を一体に編み上げ、作業用手袋の形に作り上げ、更に、熱接着工程を介して織り面を更に加工して、これによって、完全気密性のあるいは半気密性のある、強度が強化された作業用手袋を提供することを第２の目的とする。
更にまた、本発明は、弾性材を接着した木綿糸から成る合成弾性糸で一体に編み上げ、作業用手袋の形に作り上げ、更に、発泡工程を介して織り面を更に加工して、これにより、作業用手袋の強度および通気性を強化した、強度の強化された作業用手袋を提供することを第３の目的とする。
【課題を解決するための手段】
【０００４】
本考案の請求項１に係る考案は、手首に一致するサイズの部分が端部に形成されたカフ部を有する手袋の形に一体式に編み込まれ、強度を強化された作業用手袋であって、前記作業用手袋は、木綿糸に弾性材が接着塗布して形成された合成弾性糸を縦糸及び横糸に使用して一体に編み込んで手袋の形に作り上げ、該作業用手袋の織り面全体を弾性材の弾性コロイド層によって完全に塗布した状態に形成し、合成弾性糸の強度および引張り強さを強化すると共に、糸の切断、ほつれをなくし、表面のけば立ちを起こさないようにし、更に、織り面の縦糸及び横糸の相互に編み込まれたところに通気性のある気孔を高密度に設けてなり、良好な柔軟性及び肌触りをもたらし、着用感の心地よさを向上し、滑り止め効果を増強し、更なる耐久性をもたらすようにしたことを特徴とする。
【０００５】
請求項２の考案は、請求項１記載の作業用手袋において、前記合成弾性糸の弾性材は、ゴムあるいはニトリルゴム（ＮＢＲ），ポリウレタン（ＰＵ）のようなプラスチック重合体から成ることを特徴とする。
【０００６】
請求項３の考案は、請求項１記載の作業用手袋において、前記弾性材は、木綿糸の周囲縁部全体に円形に接着塗付されるように適用されることを特徴とする。
【０００７】
請求項４の考案は、請求項１記載の作業用手袋において、前記弾性材は、木綿糸の周囲縁部半円形状に接着塗付されるように適用されることを特徴とする。
【０００８】
請求項５の考案は、請求項１記載の作業用手袋において、前記弾性材は、木綿糸の周囲に水玉状に接着塗付されるように適用されることを特徴とする。
【０００９】
請求項６の考案は、請求項１記載の作業用手袋において、前記弾性材は、木綿糸の周囲縁部全体に円形に接着塗付されるように適用され、手袋布地の織り面を熱接着工程を介して更に加工し、完全に気密性の作業用手袋を形成することを特徴とする。
【００１０】
請求項７の考案は、請求項１記載の作業用手袋において、前記弾性材は、木綿糸の周囲縁部半円形状に接着塗付されるように適用され、手袋布地の織り面を熱接着工程を介して更に加工し、半気密性の作業用手袋を形成することを特徴とする。
【００１１】
請求項８の考案は、請求項１記載の作業用手袋において、前記弾性材は、木綿糸の周囲に水玉状に接着塗付されるように適用され、手袋布地の織り面を熱接着工程を介して更に加工し、コロイド−水玉状の作業用手袋を形成することを特徴とする。
【００１２】
請求項２の考案は、請求項１記載の作業用手袋において、前記弾性材は木綿糸と共時的に編み込まれた弾性糸からなり、木綿糸の強度及び耐久性を強化するようにしたことを特徴とする。
【００１３】
請求項１０の考案は、請求項１記載の作業用手袋において、前記弾性材は、木綿糸と共時的に編み込まれた弾性糸で構成され、手袋生地の織り面が熱接着工程を介して更に加工され、完全機密性の作業用手袋をもたらすことを特徴とする。
【００１４】
請求項１１の考案は、請求項１記載の作業用手袋において、前記弾性材は、混合発泡物質からなり、発泡加工を介して気泡密度を高め、作業用手袋の強度と通気性を高めるようにしたことを特徴とする。
【００１５】
請求項１２の考案は、請求項９記載の作業用手袋において、前記合成弾性糸は、外側層へと形成され、木綿糸は、内側層へと形成されることを特徴とする。
【００１６】
手袋部分が一体に編み込まれて、手首に一致するサイズの部分が端部に設けられ且つカフ部を有するように形成された強度を強化された作業用手袋であって、前記作業用手袋は、共に木綿糸で編まれた内側層及び外側層からなる手の形に作られた一枚の織物と、内側木綿糸層及び外側弾性材層（弾性糸のような）からなる手の形に作られたもう一枚別の織物とで構成され、これら手の形をした２枚の織物を互いに接着し、作業用手袋を形成することで、木綿糸で形成された内側層は、手袋着用者に対して快適な肌触りを提供できるとともに、外側の弾性材層は糸の強度を強化することができるようになることを特徴とする。
【考案の効果】
【００１７】
上述の目的を達成するため、本考案の作業用手袋は、木綿糸に弾性材を接着塗布して合成弾性糸としたものを縦糸及び横糸として使用し、一体に編んで手袋の形にしたもので、通気性、柔軟性があるとか、肌触り触感がよいとかの、木綿糸の特徴の良さを生かしつつ、一方で、弾力性がないとか、すぐに切れ易く耐久性に乏しい、織目が粗く表面がざらざらする、などという木綿糸の負の特徴を、弾性材を適用して木綿糸に塗布し合成弾性糸を形成することにより克服し、強度及び引張り強さを強化し、併せて、耐久性、滑りにくさ、通気性のよさ、埃の進入を許さない織目の肌理の細かさ、といった織り面が得られ、このような合成弾性糸材料で作られた作業用手袋で作業した場合、長時間の着用でも着用感が良好で、且つ手袋をはめた手を充分に保護することができ、体に対する負荷を軽減できる。
【００１８】
また、弾性材の適用方法をいろいろ変化することで、手袋の内側表面及び外側表面に弾性材と木綿糸が混じり合って配置されるようにし、織り面に、木綿糸の柔軟性と弾性材の引張り強さの両方を併せ持せることができるようにしたことで、両者の特性を上手に利用することができ、従来の作業用手袋の欠点をなくすことができる。
更にまた、このような合成弾性糸による作業用手袋を作り上げた後に、熱接着加工であるとか、発泡加工であるとか、更に別の加工工程を施して、更に一層の気密性の高い手袋とか、非常に通気性のよい手袋とか、使用目的に合わせて二次加工して使用者のニーズに合わせることができ、応用範囲が広いという利点をもたらす。
【考案を実施するための最良の形態】
【００１９】
以下、図面を参照しながら、本考案の好ましい実施形態について以下に詳細に説明する。
図１は各々の木綿糸の周囲を完全な円形状態接着方法で弾性材を塗布した合成弾性糸で作った本考案の第１実施例を示す作業用手袋の斜視図、図２は図１の作業用手袋生地の織り面の一部拡大図、図３は図１の合成弾性糸で作った作業用手袋を更に加工した作業用手袋示す概略図、図４は各々の木綿糸の周囲を半円形状態接着方法で弾性材を塗布した合成弾性糸で作った本考案の作業用手袋の第２実施例の実施の形態を示す斜視図、図５図４の作業用手袋の織り面の一部拡大図、図６は図４の織り面の縦断面の一部拡大断面図、図７は図４の合成弾性糸で作った作業用手袋を更に加工した作業用手袋を示す概略図、図８は本考案の第３の実施例を示す実施形態で、各々の木綿糸に水玉状態接着方法で弾性材を塗布した合成弾性糸で作った作業用手袋の斜視図、図９は図８の作業用手袋の織り面の一部拡大図、図１０は図８の合成弾性糸で作った作業用手袋を更に加工した作業用手袋を示す概略図、図１１は本考案の第４実施例を示す実施の形態の合成弾性糸で編み上げた作業用手袋び織り面の縦断面図、図１２は図１１の合成弾性糸で編み上げた織り面を応用したもので、木綿糸を内側層に、弾性材を外側層にした合成弾性糸で作った織り面の断面概略図、図１３は、図１１の合成弾性糸で編み上げた織り面を更に別に応用したもので、内側層及び外側層の両方を木綿糸で一枚の生地に手の形に編み上げ、もう一枚を、内側層は木綿糸で、外側層は弾性材で作った生地を手の形に編み上げ、２枚貼り合わせて作った織り面の別の断面概略図、図１４は弾性材と木綿糸で作られた合成弾性糸を一枚の布地に織って、その後、成形機で型取ってカットしてから、作業用手袋に仕上げた、本考案の第５実施例を示す実施の形態を示す概略図である。
【実施例１】
【００２０】
図１乃至図３は、本考案の第１実施例を示す強化した作業用手袋構造の斜視図を示す。
本考案の作業用手袋１０は、合成弾性糸２０を材料にした縦糸及び横糸を一緒に編み込み手袋の形とし、カフ（手首周り）部分が手首にぴたりと一致するようにした、作業用手袋を形成する。合成弾性糸２０は、弾性材２２を塗布され接着された木綿糸２１から成る。
【００２１】
図１の実施の形態の合成弾性糸２０は、弾性材２２が木綿糸２１の周囲縁の全体面に接着するように適用されており、このような合成弾性糸の縦糸及び横糸を相互に織った織り面１１は弾性材２２の弾性コロイド層で全体を塗布されるようになるので、糸の強度および繊維の引張り強さを強化することができ、生地のほつれや表面のけば立ちなどをなくすことができる。
従って、一体編み込み式作業用手袋１０は織物生地が強化され、織り面１１は、編み込まれた縦糸及び横糸に通気性のよい気孔がびっしりと配置されることで良好な弾性と触感を与え、着用感の心地よさを改善し、滑り止め効果を増強し、更なる耐久性をもたらすことができる。
なお、前記合成弾性糸２０の弾性材２２には、ゴム或いはニトリルゴム（ＮＢＲ），ポリウレタン（ＰＵ）のようなプラスチック重合体が使用される。
【００２２】
図３の作業用手袋１０は、図１のように、弾性材２２が円周形全体に接着する方法で木綿糸２１の周囲縁に沿って塗布されて合成弾性糸２０が形成され、この合成弾性糸２０を相互に一体に編み込んで作り上げた作業用手袋１０を、その織り面１１に熱接着加工工程を施し、この加工工程によって、完全に気密性を保持した別の種類の作業用手袋１０としたものである。
前記工程によって形成された作業用手袋１０の織り面に、発泡加工工程を施し、この加工工程により、強度および通気性を高めた別の種類の作業用手袋１０とすることもできる。
【実施例２】
【００２３】
図４（図５及び図６を伴う）は、本考案の第２の実施の形態の斜視図を示す。この実施の形態は、木綿糸２１’と弾性材２２’とから成る合成弾性糸２０’で編み込んだ作業用手袋１０’である。弾性材２２’は木綿糸２１’の周囲を半円形状で接着するように塗布されるので、合成弾性糸２０’の縦糸及び横糸を相互に編み込んで織られた織り面１１’は、その内側及び外側表面にコロイドと糸が半円形状に混じり合って配置されている。従って、織り面１１’は、木綿糸２１’の柔軟性と、ゴムの引張り強さの両方を併せ持っていると共に、糸が切れたり表面のけば立ちが起きる危険性をなくすことができる。
【００２４】
このように構成することで、作業用手袋１０’は生地構造を強化することができ、織り面１１’にも、互いに織り込まれた縦糸及び横糸に通気孔が高密度に配置されることで、良好な弾性と触感がもたらされ、着用感を向上することができ、滑り止め効果が増強され、耐久性をいっそう高めることができる。
【００２５】
図７を参照する。ここに示された作業用手袋は、図４の木綿糸２１’の周囲縁部全体に弾性材２２’を半円形状で接着するように塗布して合成弾性糸２０’を形成し、この合成弾性糸２０’を縦糸及び横糸の相互に使用して作業用手袋１０”に編み込んで形成した作業用手袋１０”の織り面１１’を、更にその後、熱接着加工工程を施すことにより、半気密性特性を保持した、別の種類の作業用手袋にしたものである。
【実施例３】
【００２６】
図８（図９を伴う）は本考案の第３の実施例の形態を示す。この第３の実施の形態は、合成弾性糸２０”で織り込んだ作業用手袋１０”であり、合成弾性糸２０”は、木綿糸２１”と、該木綿糸２１”に弾性材２２”を水玉状に接着するようにして塗布して作られ、この合成弾性糸２０”を使用して縦糸及び横糸を相互に編み込んでおられた織り面１１”は、その内側及び外側表面にコロイドと糸が水玉状に混じり合って配置されている。従って、織り面１１”は、木綿糸の柔軟性と、ゴムの引張り強さの両方を併せ持っていると共に、糸が切れたり表面のけば立ちが起きる危険性をなくすことができる。
【００２７】
このように構成することで、作業用手袋１０”は生地構造を強化することができ、織り面１１”にも、互いに織り込まれた縦糸及び横糸に通気孔が高密度に配置されることで、良好な弾性と触感がもたらされ、着用感を向上することができ、滑り止め効果が増強され、耐久性をいっそう高めることができる。
【００２８】
図１０を参照する。ここに示された作業用手袋は、木綿糸２１”の周囲縁部全体に弾性材２２”を水玉状で接着するように塗布した合成弾性糸２０’を縦糸及び横糸の相互に使用して作った作業用手袋１０”で、このように形成した作業用手袋１０”の織り面１１”に、その後更に、熱接着加工工程を施し、コロイド水玉状になる別の種類の作業用手袋とすることができる。
【００２９】
図１１，図１２を参照する。この作業用手袋は、合成弾性糸４０を織って作成された作業用手袋３０であって、合成弾性糸４０は、木綿糸４１（これは内側層に作られる）と、弾性体４２からなる弾性糸（これは外側層に作られる）とからで構成され、この合成弾性糸が共時的に相互に縦糸及び横糸に編み込まれ、織り面３１を、木綿糸４１の強度を高め滑り止め効果をもたらすように形成する。作業用手袋３０は、その後、熱接着工程を介して更に加工され、完全に気密性の作業用手袋とする。
【実施例４】
【００３０】
図１３を参照すると、この第４実施の形態の作業用手袋は、木綿糸４１’で編んだ、内側層及び外側層両層から成る、手の形に成形された織物と、内側木綿層４１’及び弾性材４２（例えば、弾性糸）の外側層とから成る、もう一枚別の手の形に成形された織物の、二枚の手の形の織物を互いに接着させて、作業用手袋３０’形成したものである。
【実施例５】
【００３１】
図１４を参照する。この第５実施の形態の作業用手袋では、弾性材５１１と木綿糸５１２からなる弾性糸を一枚の生地に織り込んで作った織物生地であって、その後、成形機を介してこの生地をカットし、作業用手袋５０に作る。
【００３２】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００３３】
【図１】各々の木綿糸の周囲を完全な円形状態接着方法で弾性材を塗布した合成弾性糸で作った本考案の第１実施例の作業用手袋の斜視図、
【図２】図１の作業用手袋生地の織り面の一部拡大図、
【図３】図１の合成弾性糸で作った作業用手袋を更に加工した作業用手袋示す概略図、
【図４】各々の木綿糸の周囲を半円形状態接着方法で弾性材を塗布した合成弾性糸で作った本考案の第２実施例を示す作業用手袋の別の実施の形態を示す斜視図、
【図５】図４の作業用手袋の織り面の一部拡大図、
【図６】図４の織り面の縦断面の一部拡大断面図、
【図７】図４の合成弾性糸で作った作業用手袋を更に加工した作業用手袋を示す概略図、
【図８】本考案の第３実施例の実施の形態で、各々の木綿糸に水玉状態接着方法で弾性材を塗布した合成弾性糸で作った作業用手袋の斜視図、
【図９】図８の作業用手袋の織り面の一部拡大図、
【図１０】図８の合成弾性糸で作った作業用手袋を更に加工した作業用手袋を示す概略図、
【図１１】図１１は本考案の第４の実施例の実施の形態の合成弾性糸で編み上げた作業用手袋及び織り面の縦断面図、
【図１２】図１１の合成弾性糸で編み上げた織り面を応用したもので、木綿糸を内側層に、弾性材を外側層にした合成弾性糸で作った織り面の断面概略図、
【図１３】図１１の合成弾性糸で編み上げた織り面を更に別に応用したもので、内側層及び外側層の両方を木綿糸で一枚の生地に手の形に編み上げ、もう一枚を、内側層は木綿糸で、外側層は弾性材で作った生地を手の形に編み上げ、２枚貼り合わせて作った織り面の別の断面概略図、
【図１４】弾性材と木綿糸で作られた合成弾性糸を一枚の布地に織って、その後、成形機で型取ってカットしてから、作業用手袋に仕上げた、本考案の第５の実施例の実施の形態を示す概略図である。
【符号の説明】
【００３４】
１０      一体編み込み式作業用手袋
１１      織り面
２０      合成弾性糸
２１      木綿糸
２２      弾性材
【図１】
0003139589.tif 000003
【図２】
0003139589.tif 000004
【図３】
0003139589.tif 000005
【図４】
0003139589.tif 000006
【図５】
0003139589.tif 000007
【図６】
0003139589.tif 000008
【図７】
0003139589.tif 000009
【図８】
0003139589.tif 000010
【図９】
0003139589.tif 000011
【図１０】
0003139589.tif 000012
【図１１】
0003139589.tif 000013
【図１２】
0003139589.tif 000014
【図１３】
0003139589.tif 000015
【図１４】
0003139589.tif 000016